(57)【要約】【課題】  大型表示パネルを有する薄型表示装置において、多数の螺子により該大型表示パネルを該薄型表示装置の筐体に螺着する従来の係止手段から、螺子の使用と螺着作業の回避手段を提供する。【解決手段】  大型表示パネルを有する薄型表示装置の液晶表示パネルやプラズマディスプレイパネルなどの大型で質量の大きい表示パネルを含む光学システムユニット１８の上辺に、該光学システムユニット１８と一体に形成された取り付けタブ６ａに配設した挿通孔６ｂに、該薄型表示装置の前キャビネット５と一体に形成された突起部５ａまたは後ろキャビネット４の係止部４ｂの少なくとも何れか一方を、該取り付けタブ６ａの挿通孔６ｂに挿通する。【選択図】  図３
2007279537.tif 000002
【特許請求の範囲】
【請求項１】
前キャビネットと、後ろキャビネットと、液晶表示パネルやプラズマディスプレイパネルなどの薄型表示パネルを構成要素とする薄型表示装置において、該薄型表示パネルの固定部材、または該薄型表示パネルを含むユニットに形成された取り付けタブの穿孔に、該前キャビネットまたは後ろキャビネットと一体に形成された少なくとも何れか一方の突起を挿通したことを特徴とする該薄型表示装置。
【請求項２】
請求項1記載の薄型表示装置において、後ろキャビネット上縁から該薄型表示装置の前方に突出し形成され、先端に掛止部を有する突起部を、前記薄型表示パネルの固定部材、または前記薄型表示パネルを含むユニットの上辺に形成された取り付けタブの鉛直面の穿孔に挿通し、該掛止部に該取り付けタブが掛止された状態で該掛止部および該取り付けタブを前キャビネット上縁内面から垂下する突起部の下に潜り込ませ、該薄型表示装置の前方から順次に、該後ろキャビネットに形成された突起部先端の該掛止部、該取り付けタブ、該前キャビネット突起部、および該後ろキャビネット上縁を配設することにより、該薄型表示パネルの固定部材、または該薄型表示パネルを含むユニットをキャビネットに係止したことを特徴とする薄型表示装置。
【請求項３】
請求項２記載の薄型表示装置において、該薄型表示装置の前方から順次に、後ろキャビネットに形成された突起部先端の該掛止部、前キャビネット突起部、取り付けタブ、および後ろキャビネット上縁を配設することにより、該薄型表示パネルの固定部材、または該薄型表示パネルを含むユニットをキャビネットに係止したことを特徴とする薄型表示装置。
【請求項４】
請求項1記載の薄型表示装置において、後ろキャビネット上縁から該薄型表示装置の前方に突出し、先端に掛止部を有する突起部を、前記薄型表示パネルの固定部材、または前記薄型表示パネルを含むユニットに形成された取り付けタブの鉛直面の穿孔に挿通すると共に、前キャビネット上縁内面から垂下する突起部先端に該薄型表示装置の前方に向かって形成された掛止部を具備し、該薄型表示装置の前方から順次に後ろキャビネットに形成された突起部先端の該掛止部、該取り付けタブ、該前キャビネットの突起部、および後ろキャビネットの上縁を配設することにより、該薄型表示パネルの固定部材、または該薄型表示パネルを含むユニットをキャビネットに係止したことを特徴とする薄型表示装置。
【請求項５】
請求項４記載の薄型表示装置において、前キャビネット上縁内面から垂下する突起部の先端に該薄型表示装置の後方に向かって形成された掛止部を具備し、該薄型表示装置の前方から順次に、後ろキャビネットに形成された突起部先端の該掛止部、該前キャビネットの該突起部、該取り付けタブ、該後ろキャビネットの上縁部を配設することにより、該薄型表示パネルの固定部材、または該薄型表示パネルを含むユニットをキャビネットに係止したことを特徴とする薄型表示装置。
【請求項６】
請求項１記載の薄型表示装置において、前記薄型表示パネルの固定部材、または前記薄型表示パネルを含むユニットに形成された取り付けタブの鉛直面の先端部を該薄型表示装置の後方に向かって直角に折り曲げた水平面に穿孔し、該穿孔に前キャビネット上縁内面から垂下する突起部を挿通すると共に、該穿孔の下面に後ろキャビネット上縁から該薄型表示装置の前方に突出し形成され先端に掛止部を有する突起部を挿通することにより、該薄型表示パネルの固定部材、または該薄型表示パネルを含むユニットをキャビネットに係止したことを特徴とする薄型表示装置。
【請求項７】
請求項６記載の薄型表示装置において、前キャビネット上縁内面から垂下する突起部に該薄型表示装置の前方に向かって形成した掛止部を、前記薄型表示パネルの固定部材、または前記薄型表示パネルを含むユニットの上辺に形成された取り付けタブの鉛直面に配設した穿孔に挿通したことを特徴とする薄型表示装置。
【発明の詳細な説明】
【技術分野】
【０００１】
本発明は、液晶表示パネル、プラズマディスプレイパネル、エレクトロルミネッセンス（ＥＬ）パネルなどの薄型表示パネルを構成要素とする薄型表示装置において、該薄型表示装置筐体への該薄型表示パネル、または表示パネルを含むユニットの係止手段に関する。
【背景技術】
【０００２】
液晶表示パネルなどを表示素子とする電子機器において、該液晶表示パネルを電子機器の筐体に係止する従来の手段としては、特許文献１または特許文献２に見られるごとく、該液晶表示パネルの前面周辺部および該液晶表示パネル側面を被包する堅固な金属部材により構成されるフレームに該液晶表示パネルを係止保持し、該フレーム周辺のコーナー近傍に配設した取り付けタブを介して該電子機器の筐体内部に該液晶表示パネルを螺着するのが一般的であった。
【０００３】
しかしながら、薄型表示装置の表示画面の大型化に伴い、表示画面の対角線長さが１．５メートルを越えるテレビやディスプレイも商品化され、表示パネル自体の質量も大きくなり、該表示パネルを筐体に確実に係止するには多数の螺着箇所を必要としている。
【特許文献１】特開２０００−３４９４６５号公報
【特許文献２】特開２０００−１００８２号公報
【発明の開示】
【発明が解決しようとする課題】
【０００４】
液晶表示パネルの取り付けフレームを介して該液晶パネルを電子機器の筐体に係止する従来の螺着手段においては、小型の表示パネルにおいてさえ、該液晶表示パネルを該電子機器の筐体に螺着するためには、少なくとも２個の取り付けタブ、２個の螺子、さらには螺着作業を必要としていた。近時、表示画面の対角線長さが１．５メートルを越える大型表示画面を有する表示パネルでは、取り付けタブをフレームの各コーナーに配設するのみでは強度的に不十分であり、該フレームのコーナーに加え、さらに該フレームの辺に沿って同様の取り付けタブを追加する必要があり、部品点数と螺着作業の増大を招いている
【課題を解決するための手段】
【０００５】
薄型表示装置において、後ろキャビネット上縁から該薄型表示装置の前方に突出し形成され、先端に掛止部を有する突起部を、薄型表示パネルの固定部材、または薄型表示パネルを含むユニットに形成された取り付けタブの鉛直面の穿孔に挿通し、該掛止部に該取り付けタブが掛止された状態で該掛止部および該取り付けタブを前キャビネット上縁内面から垂下する突起部の下に潜り込ませ、該薄型表示装置の前方から順次に、該後ろキャビネットに形成された突起部先端の該掛止部、該取り付けタブ、該前キャビネットの突起部、および後ろキャビネット上縁を配設することにより、該薄型表示パネルの固定部材、または該薄型表示パネルを含むユニットを筐体に係止する。
【０００６】
前記の薄型表示装置において、該薄型表示装置の前方から順次に、後ろキャビネットに形成された突起部先端の該掛止部、前キャビネット突起部、該取り付けタブ、および該後ろキャビネット上縁を配設することにより、該薄型表示パネルの固定部材、または該薄型表示パネルを含むユニットを筐体に係止する。
【０００７】
薄型表示装置において、後ろキャビネット上縁から該薄型表示装置の前方に突出し、先端に掛止部を有する突起部を、前記薄型表示パネルの固定部材、または前記薄型表示パネルに形成された取り付けタブの鉛直面の穿孔に挿通すると共に、前キャビネット上縁内面から垂下する突起部の先端に前方に向かって形成された掛止部により、前記取り付けタブを懸架するよう、該薄型表示装置の前方から順次に後ろキャビネットに形成された突起部先端の該掛止部、該取り付けタブ、前キャビネットの該突起部、および後ろキャビネット上縁を配設することにより、該薄型表示パネルの固定部材、または該薄型表示パネルを含むユニットを筐体に係止する。
【０００８】
前記薄型表示装置において、前キャビネット上縁内面から垂下する突起部の先端に該薄型表示装置の後方に向かって形成された掛止部により、前記薄型表示パネルの固定部材、または前記薄型表示パネルを含むユニットに形成された取り付けタブを懸架するよう、該薄型表示装置の前方から順次に、後ろキャビネットに形成された突起部先端の該掛止部、該前キャビネットの該突起部、該取り付けタブ、該後ろキャビネット上縁部を配設することにより、該薄型表示パネルの固定部材、または該薄型表示パネルを含むユニットを筐体に係止する。
【０００９】
薄型表示装置において、前記薄型表示パネルの固定部材、または前記薄型表示パネルを含むユニットに形成された取り付けタブの鉛直面の先端部を該薄型表示装置の後方に折り曲げた水平面に穿孔し、該穿孔上面に前キャビネット上縁内面から垂下する突起部を挿通すると共に、該穿孔下面に後ろキャビネット上縁から該薄型表示装置の前方に突出し形成され先端に掛止部を有する突起部を挿通することにより、該薄型表示パネルの固定部材、または該薄型表示パネルを含むユニットを筐体に係止する。
【００１０】
前記の薄型表示装置において、前記薄型表示パネルの固定部材、または前記薄型表示パネルを含むユニットに形成された取り付けタブの鉛直面に配設した穿孔に、前キャビネット上縁内面から垂下する突起部に該薄型表示装置の前方に向かって形成された掛止部を挿通する。
【発明の効果】
【００１１】
大型表示画面を有する大型で質量の大きい表示パネルを筐体に係止するため、該表示パネル周辺のフレームや、該表示パネルを含むユニットのフレームに形成された多数の取り付けタブの螺着に要する螺子の使用と螺着作業を回避する。
【発明を実施するための最良の形態】
【００１２】
以下、図に基づき本発明の実施形態を適用した液晶テレビについて説明する。図１は液晶テレビ１の外観正面図である。図１において、２は画像表示を行う液晶表示パネル、３は液晶テレビを卓上型として使用するためのスタンド、５は前キャビネットである。
【００１３】
図２に基づき液晶テレビ内部の光学システムユニットの概要構成を説明する。該光学システムユニット１８を構成する液晶表示パネル２の背面側には、液晶表示画面の高輝度化や面輝度均一化などの画像品位改善のため、光反射、偏光、屈折、光拡散などの高度の光制御技術を利用し、表面に多数のマイクロレンズアレイを形成するなどの手段を適用した複数のフィルム状の光学シートセット１１が配設されている。さらに該光学シートセット１１の後方には該光学シートセット１１および該液晶表示パネル２の背面から光照射するためのバックライトユニット１９が配設されている。該バックライトユニット１９はバックライトシャーシ１３内部に多数の発光管１４および光拡散板１２を配設し構成されている。
【００１４】
図３（ａ）は、本発明に関わる液晶テレビの背面右上部分の分解斜視図であり、本発明の第１の実施形態を説明する。図３（ｂ）は前キャビネット５の上縁内面の下方に向かって形成された突起部５ａを、図３（ｃ）は光学システムユニット１８の上辺に形成された取り付けブラケット６の取り付けタブ６ａに穿設された挿通孔６ｂを、図３（ｄ）は後ろキャビネット４の上縁から該液晶テレビの前方に向かって突出し、先端に掛止部４ｂが形成された突起部の斜視図である。
【００１５】
図４は、図３（ａ）中に鎖線Ａ−Ａで示す切断線に沿って切断した縦断面図で、図４（ａ）乃至（ｃ）は、前キャビネット５および後ろキャビネット４への光学システムユニット１８の係止手順を示している。図３（ａ）に示すごとく光学システムユニット１８と一体に形成された取り付けブラケット６の一部を構成する取り付けタブ６ａの背面を、前キャビネット５の上縁内面の下方に向かって形成された突起部５ａの前面に当接させる。
【００１６】
次に、図４（ｃ）に示すごとく、光学システムユニット１８の下辺には、下側ブラケット９が該光学システムユニット１８と一体に形成されている。先端部に曲げ加工が施された該下側ブラケット９は、前キャビネット５と一体に形成された爪付き突起部５ｃに掛止され、該光学システムユニット１８の下辺は、該前キャビネット５に係止固定される。
【００１７】
さらに、図４（ｂ）に示すごとく、後ろキャビネット４の上縁から液晶テレビの前方に向かって突出し、先端に掛止部４ｂが形成された突起部４ａを、図４（ｂ）中に破線矢印で示すごとく取り付けタブ６ａに穿設された挿通孔６ｂに挿通後に該後ろキャビネット４を前キャビネット５に整合させることにより、取り付けタブ６ａは後ろキャビネット４と一体に形成された掛止部４ｂおよび前キャビネット５と一体に形成された突起部５ａにより挟持され、光学システムユニット１８は液晶テレビの筐体に係止され固定される。
【００１８】
図５は、本発明の第２の実施形態を示す縦断面図である。前記第１の実施形態においては、液晶テレビの前方から順次に後ろキャビネット４に形成された突起部４ａ先端の掛止部４ｂ、取り付けタブ６ａ、前キャビネット５の突起部５ａ、および後ろキャビネット４の上縁の順序に従い配設され、光学システムユニット１８が、該液晶テレビの筐体に係止固定されているが、第２の実施形態では、図５（ｃ）に示すごとく、液晶テレビの前方から順次に、後ろキャビネット２４に形成された突起部２４ａ先端の掛止部２４ｂ、前キャビネット２５の突起部２５ａ、光学システムユニット１８の取り付けタブ６ａ、および後ろキャビネット２４の上縁の順序に従い配設され、光学システムユニット１８の上辺が、該液晶テレビの筐体に係止され固定される。
【００１９】
図６（ａ）は、本発明の第３の実施形態を示す液晶テレビの分解斜視図、図６（ｂ）は図６（ａ）中に示す前キャビネット３５の上縁内面の下方に向かって形成された突起部３５ａおよび該突起部３５ａ先端の掛止部３５ｂの拡大斜視図である。
【００２０】
図７は図６中に鎖線Ｂ−Ｂで示す切断線に沿って切断した縦断面図である。前記第２の実施形態においては、図５に示すごとく、液晶テレビの前方から順次に、後ろキャビネット２４に形成された突起部２４ａ先端の掛止部２４ｂ、前キャビネット２５の突起部２５ａ、光学システムユニット１８の取り付けタブ６ａ、および後ろキャビネット２４の上縁の順序に従い配設され、光学システムユニット１８が、該液晶テレビの筐体に係止され固定されるが、本発明の第３の実施形態では、図７に示すごとく、前キャビネット３５の上縁内面の下方に向かって形成された突起部３５ａの先端に、液晶テレビの後方に向かって掛止部３５ｂを形成している。図７（ｃ）に示すごとく、光学システムユニット１８と一体に形成された取り付けタブ６ａに穿設された挿通孔６ｂの上部に該掛止部３５ｂを当接させることにより、質量の大きい光学システムユニット１８の懸架機能を該掛止部３５ｂに付与し、信頼性を向上することが出来る。
【００２１】
図８は、本発明の第４の実施形態を示す液晶テレビの縦断面図である。前記第３の実施形態においては、図７に示すごとく、前キャビネット３５の上縁内面の下方に向かって形成された突起部３５ａの先端に、液晶テレビの後方に向かって掛止部３５ｂを形成しているが、本発明の第４の実施形態では、図８（ａ）に示すごとく、前キャビネット４５の上縁内面の下方に向かって形成された突起部４５ａ先端には、液晶テレビの前方に向かって掛止部４５ｂを形成し、該掛止部４５ｂには、前記第３の実施形態と同様に、質量の大きい光学システムユニット１８の懸架機能を付与している。
【００２２】
図９（ａ）は本発明の第５の実施形態を示す液晶テレビ背面右上部分の分解斜視図、図９（ｂ）は光学システムユニット１８と一体に形成した取り付けブラケット１６の取り付けタブ１６ａ部分の拡大斜視図である。光学システムユニット１８を液晶テレビの筐体に係止するため、該光学システム１８と一体に形成された取り付けブラケット１６には、取り付けタブ鉛直部１６ａおよび先端を液晶テレビの後方に向かって直角に折り曲げた取り付けタブ水平部１６ｂを具備し、さらに該取り付けタブ水平部１６ｂには挿通孔１６ｃが形成されている。
【００２３】
図１０は、図９（ａ）中に鎖線Ｃ−Ｃで示す切断線に沿って切断した縦断面図である。図１０（ａ）に示すごとく、光学システムユニット１８と一体に形成された取り付けブラケット１６の取り付けタブ鉛直部１６ａの先端は液晶テレビの後方に向かって直角に折り曲げられ、取り付けタブ水平部１６ｂを形成している。該取り付けタブ水平部１６ｂに穿接された挿通孔１６ｃには、図１０（ｂ）に示すごとく前キャビネット５５と一体に形成された突起部５５ａが挿通する。
【００２４】
次に、後ろキャビネット５４を前キャビネット５５に整合させ、図１０（ｂ）中に示す破線矢印に沿って上方へ移動することにより、後ろキャビネット５４の上縁から液晶テレビの前方に向かって形成された突起部５４ａ先端の掛止部５４ｂが、取り付けタブ水平部１６ｂに穿設された挿通孔１６ｃに係合し、該取り付けブラケット１６を介し、大型で質量の大きい光学システムユニット１８が筐体に係止固定される。
【００２５】
図１１は、本発明の第６の実施形態を示す縦断面図である。図１１（ａ）に示すごとく、前キャビネット６５の上縁内面の下方に向かって形成された突起部６５ａの先端には、液晶テレビの前方に向かって掛止部６５ｂを形成している。該突起部６５ａおよび掛止部６５ｂは、光学システムユニット１８と一体に形成された取り付けブラケット２６の取り付けタブ水平部２６ｂに穿設された第１の挿通孔２６ｃに挿通されると共に、液晶テレビの前方に向かって形成された該掛止部６５ｂは取り付けタブ鉛直部２６ａに穿設された第２の挿通孔２６ｄに掛止される。
【００２６】
後ろキャビネット６４を前キャビネット６５に整合後に、図１１（ｂ）中の破線矢印に示すごとく、後ろキャビネット６４を上方に移動させることにより、後ろキャビネット６４の上縁から液晶テレビの前方に向かって突出した突起部６４ａ先端に形成された掛止部６４ｂが、取り付けタブ水平部２６ｂの第１の挿通孔２６ｃに係合され、該取り付けブラケット２６を介し、大型で質量の大きい光学システムユニット１８が筐体に係止固定される。
【００２７】
尚、本発明の実施の形態としては筐体の上縁での嵌合にて説明したが、同様の方法を筐体の左右や下端部に応用することでも同様の効果を得ることは明らかである。また、前キャビネットと、後ろキャビネットと、薄型表示パネルユニットの固定方法においては、小型の薄型表示装置においては本発明の嵌合方法のみでの嵌合も可能であるが、薄型表示装置の大型化に伴い、ビス固定との両用で用いられる場合もある。
【図面の簡単な説明】
【００２８】
【図１】本発明に係わる液晶テレビの外観正面図である。
【図２】本発明の実施例である液晶テレビ内部の光学システムの概略分解斜視図である。
【図３】図３（ａ）は、本発明の第１の実施形態を説明するため、本発明に関わる液晶テレビの背面右上部分の分解斜視図、（ｂ）は前キャビネットの突起部、（ｃ）は取り付けタブ、（ｄ）は後ろキャビネットの突起部の斜視図である。
【図４】図３（ａ）中の切断線に沿って切断した縦断面図で、図４（ａ）乃至（ｃ）は、前キャビネット５および後ろキャビネットへの光学システムユニットの係止手順を示している
【図５】本発明の第２の実施形態を示す縦断面図である。
【図６】図６（ａ）は第３の実施形態を示す液晶テレビの分解斜視図、図６（ｂ）は前キャビネットに形成された突起部と掛止部の拡大斜視図である。
【図７】図６中に示す切断線に沿って切断した本発明の第３の実施形態を示す縦断面図である。
【図８】本発明の第４の実施形態を示す縦断面図である。
【図９】図９（ａ）は、本発明の第５の実施形態を示す液晶テレビの背面斜視図、図９（ｂ）は、取り付けタブの拡大斜視図である。
【図１０】図９（ａ）中の切断線に沿って切断した縦断面図である。
【図１１】本発明の第６の実施形態を示す縦断面図である。
【符号の説明】
【００２９】
１：  液晶テレビ
２：  液晶表示パネル
３：  スタンド
４、２４、３４、４４、５４、６４：  後ろキャビネット
４ａ、２４ａ、３４ａ、４４ａ、５４ａ、６４ａ：  突起部
４ｂ、２４ｂ、３４ｂ、４４ｂ、５４ｂ、６４ｂ：  掛止部
５、２５、３５、４５、５５、６５：  前キャビネット
５ａ、２５ａ、３５ａ、４５ａ、５５ａ、６５ａ：  突起部
３５ｂ、４５ｂ、６５ｂ：  掛止部
５ｃ：  爪付き突起部
６：  取り付けブラケット  
６ａ：  取り付けタブ
６ｂ：  挿通孔
９：  下側ブラケット
１１：  光学シートセット
１２：  光拡散板
１３：  バックライトシャーシ
１４：  発光管
１６：  取り付けブラケット
１６ａ：  取り付けタブ鉛直部
１６ｂ：  取り付けタブ水平部
１６ｃ：  挿通孔
１８：  光学システムユニット
１９：  バックライトユニット
２６：  取り付けブラケット
２６ａ：  取り付けタブ鉛直部
２６ｂ：  取り付けタブ水平部
２６ｃ：  第１の挿通孔
２６ｄ：  第２の挿通孔
【図１】
2007279537.tif 000003
【図２】
2007279537.tif 000004
【図３】
2007279537.tif 000005
【図４】
2007279537.tif 000006
【図５】
2007279537.tif 000007
【図６】
2007279537.tif 000008
【図７】
2007279537.tif 000009
【図８】
2007279537.tif 000010
【図９】
2007279537.tif 000011
【図１０】
2007279537.tif 000012
【図１１】
2007279537.tif 000013